(57)【要約】【課題】受け網１３を構成する多孔板５４の上面に付設する突起５８を取り外すことができるようにして、摩耗した突起５８の交換や突起５８の数を必要に応じて増減させることができる、脱穀装置１を提供する。【解決手段】受け網１３を、多数の漏下孔５３を打ち抜き加工した多孔板５４で構成すると共に、多孔板５４から扱胴１２に向けて突出し、穂切れ等を衝突させて脱粒処理を行う突起５８を、受け網１３に着脱自在に設ける。また、突起５８を補強板５７ａ〜５７ｄを利用して多孔板５４の裏面に取り付ける。【選択図】図３
2015146752.tif 000002
【特許請求の範囲】
【請求項１】
外周に多数の扱歯を植設した扱胴と、扱胴の下方に設ける受け網を備え、扱口に沿って搬送される穀稈を、扱胴と受け網によって脱粒処理する脱穀装置において、前記受け網を、多数の漏下孔を備えた多孔板で構成すると共に、上記多孔板から扱胴に向けて突出し、穂切れ等を衝突させて脱粒処理を行う突起を、前記受け網に着脱自在に設けることを特徴とする脱穀装置。
【請求項２】
前記突起を、多孔板の裏面に直接、又は多孔板の裏面に固着した補強板等を利用して取り付けることを特徴とする請求項１に記載の脱穀装置。
【請求項３】
前記突起を、多孔板の裏面から漏下孔を通して表面に突出させることを特徴とする請求項２に記載の脱穀装置。
【請求項４】
前記突起を、漏下孔の扱胴回転方向の下流側となる終端部に突設させることを特徴とする請求項１乃至請求項３に記載の脱穀装置。
【発明の詳細な説明】
【技術分野】
【０００１】
本発明は、コンバインやハーベスタ等に搭載される脱穀装置に関し、詳しくは、脱穀装置に設ける受け網に関する。
【背景技術】
【０００２】
コンバインやハーベスタ等に搭載される脱穀装置においては、外周に多数の扱歯を植設した扱胴と、扱胴の下方に設ける受け網を備え、扱口に沿って搬送される穀稈を、扱胴と受け網によって脱粒処理するようにしている。また、ここで用いられる受け網として、線材を格子状に編んで形成したクリンプ網や、多数の漏下孔を打ち抜き加工した多孔板で構成する打抜き網が使用されている。
【０００３】
そして、上記クリンプ網は、線材の交点部分によって網の表面に凹凸が生じて、穀稈の搬送抵抗が大になると共に、線材の交点部分に藁屑が挟まり易く、それにより目詰まりが発生して穀粒や藁屑等の濾下性能が低下するという問題がある。しかし、その反面、網の表面の凹凸によって藁屑等と共に持回られる穂切れ等が網に擦り付けられて脱粒し、或いは穂先や穂切れ等が浮き上がって扱歯に当たり脱粒され易くなり、扱ぎ残しを防止することができる。
【０００４】
一方、打抜き網は、網の表面を穀稈が滑るので搬送抵抗が少なく、また、濡れ材や多湿な材料を脱穀する場合にも目詰まりが生じ難く、穀粒や藁屑等の濾下性能が維持されるという利点がある。しかし、逆に網の表面に凹凸がないことによって扱ぎ残しが多くなり、また、穂切れから枝梗が十分に取り除かれないまま漏下孔から濾下してしまい、二番処理物の量が多くなって穀粒の選別処理に負荷を与えるという問題がある。
【０００５】
そこで、打抜き網の利点を活かしながら脱粒処理を促進するものとして、多孔板の上面に扱胴の回転軸と略並行な複数の突起体を付設して、これらの突起体により扱ぎ機会を増加させることが知られている（例えば、特許文献１参照。）。
【先行技術文献】
【特許文献】
【０００６】
【特許文献１】特開２００８−２１２１１５号公報
【発明の概要】
【発明が解決しようとする課題】
【０００７】
しかし、上記特許文献１に記載された脱穀装置では、多孔板の上面に付設した突起体によって脱粒処理が促進されるものの、突起体を多孔板の上面に溶接して固着するから、突起体が摩耗して処理能力が低下した場合は、受け網全体を交換しなければならず費用が掛かるという問題がある。また、突起体を多孔板の上面に付設するにあたり、溶接歪が発生して受け網が変形するという不具合があり、それにより受け網の製作コストが高くなるという問題がある。
【０００８】
さらに、穀稈を同じ扱胴と受け網を用いて脱穀しても、穀物の種類（米、麦等）、品種、材料状態（濡れ材、乾燥材、あるいは水分率の高い青い稲）等によって脱粒状態は変化し、また、扱歯による打撃や、藁屑と共に持ち回されて受け網に擦り付けられる衝撃によって穀粒の損傷が増す場合がある。そこで、扱歯による脱粒処理（単粒化）が十分に期待できる場合には、穀粒の損傷を防止すべく突起体の数を減らしたり、或いは全く無くしたい場合がある。しかし、一度、多孔板に突起体を溶接した受け網では、そのような要望に応えることができないという問題がある。
【０００９】
そこで、本発明は、上記のような問題点に鑑み、受け網を構成する多孔板の上面に付設する突起（突起体）を取り外すことができるようにして、摩耗した突起の交換や突起の数を必要に応じて増減させることができる、脱穀装置を提供することを課題とする。
【課題を解決するための手段】
【００１０】
本発明は、上記課題を解決するため第１に、外周に多数の扱歯を植設した扱胴と、扱胴の下方に設ける受け網を備え、扱口に沿って搬送される穀稈を、扱胴と受け網によって脱粒処理する脱穀装置において、前記受け網を、多数の漏下孔を備えた多孔板で構成すると共に、上記多孔板から扱胴に向けて突出し、穂切れ等を衝突させて脱粒処理を行う突起を、前記受け網に着脱自在に設けることを特徴とする。
【００１１】
また、本発明は、第２に、前記突起を、多孔板の裏面に直接、又は多孔板の裏面に固着した補強板等を利用して取り付けることを特徴とする。さらに、本発明は、第３に、前記突起を、多孔板の裏面から漏下孔を通して表面に突出させることを特徴とする。そして、本発明は、第４に、前記突起を、漏下孔の扱胴回転方向の下流側となる終端部に突設させることを特徴とする。
【発明の効果】
【００１２】
本発明の脱穀装置によれば、受け網を、多数の漏下孔を備えた多孔板で構成すると共に、上記多孔板から扱胴に向けて突出し、穂切れ等を衝突させて脱粒処理を行う突起を、前記受け網に着脱自在に設けることにより、扱室内で藁屑等と共に持回られる穂切れ等を、突起に衝突させて脱粒（単粒化）し、或いは穂先や穂切れ等を突起によって浮き上がらせ、扱歯による扱ぎ機会を増大させて、扱ぎ残しを防止することができる。
【００１３】
また、前記突起は、受け網に着脱自在に設けることにより、突起が摩耗した場合には、取り外して交換することができ、受け網全体を交換するもののように多大な費用が掛かることもなく、単品としての交換が可能となる。さらに、突起を多孔板に溶接して固着するもののように、溶接歪による受け網の変形を発生させることがなく、そして、扱胴と受け網による脱粒状態に応じて突起の数を増減したり、全く無くすこともでき、常に最良な脱穀性能を得ることができる。
【００１４】
さらに、前記突起を、多孔板の裏面に直接、又は多孔板の裏面に固着した補強板等を利用して取り付けるようにすると、突起の取付部の上方側が多孔板によって覆われて藁屑等が引っ掛かることが防止でき、また、突起を取り付けるボルトの頭部ドライバー溝が早期に摩耗して崩壊することが防止でき、ドライバーを溝に適正に作用させて、突起の着脱作業を円滑に行うことができる。また、前記突起を、多孔板の裏面から漏下孔を通して表面に突出させるようにすると、多孔板に別途、突起を通す孔を穿設する必要がなく、多孔板の製作が容易になると共に、突起の通し孔周辺への藁屑等の引っ掛かりを防止することができる。
【００１５】
そして、前記突起を、漏下孔の扱胴回転方向の下流側となる終端部に突設させると、脱粒処理を受けて単粒化した穀粒や藁屑等が、突起に遮られて下方の漏下孔に速やかに落下するので、これらの受け網からの漏下が促進され、これらが藁屑等と共に長期に亘って持ち回されて、扱胴負荷を増大させたり、穀粒を損傷させたりすることが防止でき、全体として脱穀作業を能率的に行うことができる。
【図面の簡単な説明】
【００１６】
【図１】脱穀装置の側面断面図である。
【図２】脱穀装置の正面断面図である。
【図３】受け網の表面側から見た斜視図である。
【図４】受け網の裏面側から見た斜視図である。
【図５】受け網に突起を取り付けた状態を示す断面図である。
【図６】突起の取り付け状態を示す斜視図である。
【図７】突起の取り付け状態を示す断面図である。
【図８】突起を漏下孔の中央に取り付けた状態を示す斜視図である。
【図９】受け網に突起を千鳥状に配設した状態を示す斜視図である。
【発明を実施するための形態】
【００１７】
本発明の実施形態を図面に基づいて説明する。図１及び図２に示すように脱穀装置１は、コンバインの走行フレーム２の機体進行方向から見て左側に搭載される。この脱穀装置１は下扱ぎ軸流式に構成され、扱室３と、扱室３の側方に並設した処理室４と、扱室３の下方に設けた選別室５と、扱室３の後方における選別室５の上方に形成した排塵室６と、排塵室６の上方に設けた排藁搬送装置７等を備える。なお、脱穀装置１の右側には、脱穀装置１によって脱穀された穀粒を貯留するグレンタンク８を搭載し、脱穀装置１から穀粒はグレンタンク８に螺旋軸を内装する揚穀筒９を介して移送される。また、脱穀装置１の後方には、排藁搬送装置７によって搬送された排藁を、切断して切藁として放出するディスク型カッター１０を設けている。
【００１８】
前記扱室３には、外周に多数の扱歯１１を植設した扱胴１２が、扱胴軸に軸架されて回転自在に設けられると共に、扱胴１２の下方に円弧状の受け網１３が設けられ、コンバインの刈取部によって刈り取られ、揚上搬送装置によって搬送された穀稈を、扱室３の側方に設ける脱穀フイードチェン１４とレール１５によって挟持して扱口１６に沿って搬送する間に、扱胴１２と受け網１３によって脱粒処理が行われる。なお、扱胴１２は、前側扱胴１２ａと後側扱胴１２ｂとで構成され、この内、前側扱胴１２ａは低速で回転駆動されて、穀粒の損傷を防止しながら枝梗付着粒となる穂切れや藁屑の発生を抑制する。また、後側扱胴１２ｂは高速で回転駆動され、茎稈に滞留する刺さり粒等を叩き落として扱ぎ残しを防止する。
【００１９】
また、扱胴１２、レール１５、及び排藁搬送装置７は、扱室３の上方を覆うシリンダカバー１７に取り付けられ、さらに、シリンダカバー１７は、扱口１６と反対側に設けた支点軸１８を中心に回動自在に支承され、シリンダカバー１７を電動シリンダ等によって持ち上げると、扱口１６は開放されて受け網１３の点検・掃除、排藁搬送装置７の詰まりの除去等を行うことができる。また、シリンダカバー１７の内部上面には、複数の送塵量調節ガイド１９が角度調節自在に取り付けてあり、この送塵量調節ガイド１９は、扱室３内で発生する藁屑及び穂切れ等の流れを整えて、扱室３の側方に並設した処理室４に送り込む作用をなす。
【００２０】
また、処理室４は扱胴１２の後端穂先側より機体の後方に向かい並設され、処理室４には、多数の処理歯２０を植設した処理胴２１を設けると共に、処理胴２１の外周を覆う受け網２２を設け、扱胴１２で処理しきれなかった藁屑及び穂切れ等を再び処理して受け網２２から穀粒を漏下させ、また、藁屑等を処理室４の後部から直接機外に排出する。さらに、扱胴１２及び処理胴２１の下方に設けた選別室５には、受け網１３、２２から漏下した穀粒等を選別処理する揺動選別体２３と、揺動選別体２３に向けて選別風を送風する唐箕ファン２４と、揺動選別体２３から漏下した処理物を一番受樋２５と二番受樋２６とに分離して流下案内する一番流板２７と、一番受樋２５に横設した一番螺旋２８と、二番受樋２６に横設した二番螺旋２９と、一番流板２７の下方に設けたターボファン３０を設けている。
【００２１】
前記揺動選別体２３は、受け網１３、２２から漏下した処理物を下手側へ順次移送するグレンパン３１と、このグレンパン３１の下手端部で処理物を層状選別（比重選別）する上段及び下段のチャフシーブ３２、３３と、この上段、下段チャフシーブ３２，３３から漏下した処理物を網部材で篩い選別するグレンシーブ３４と、下段チャフシーブ３３の下手側に配置されるストローラック３５等を備えた一体状の枠体で構成し、選別室５内に前後揺動自在に支持されると共に駆動機構（クランク機構、カム機構など）によって所定の周期で連続的に往復揺動される。なお、上段及び下段のチャフシーブ３２、３３は、所定の間隔をもって角度調節自在に並設する複数の可動フィン３６、３９と固定フィン３７、３８、４０、４１を備え、揺動選別体２３の揺動に伴って処理物を下手側へ移送しつつ、フィン間の隙間から穀粒を漏下させる。
【００２２】
また、前記唐箕ファン２４は、ファンケース４２に内装されて、その下手部に形成された三つの送風口４３ａ、４３ｂ、４３ｃから揺動選別体２３に向けて選別風を送風する。そして、上段送風口４３ａは、上段チャフシーブ３２と下段チャフシーブ３３の間に形成される選別風路に連通され、中段送風口４３ｂは、下段チャフシーブ３３とグレンシーブ３４の間に形成される選別風路に連通され、下段送風口４３ｃは、グレンシーブ３４と１番螺旋２８の間に形成される選別風路に連通されている。このように、３つの送風口４３ａ，４３ｂ，４３ｃを設けると、それぞれの選別風路に選別風を別々に送風することができるので、処理物の選別精度や選別効率を向上させることができる。
【００２３】
さらに、ターボファン３０は、揺動選別体２３のストローラック３５に向けて選別風を送風し、ストローラック３５上を移送される藁屑等を上方に向けて吹き飛ばす。そして、ストローラック３５の上方に設けた排塵室６の排塵ファン４４は、唐箕ファン２４とターボファン３０によって吹き飛ばされて揺動選別体２３上を浮遊する藁屑や塵埃を吸引して、吸引した藁屑や塵埃を排塵ファン４４のケーシング４５と揺動選別体２３の後端に取り付けた案内板４６によって形成される排塵口４７から機外に放出する。
【００２４】
そして、唐箕ファン２４及びターボファン３０によって風選された穀粒等の一番物は一番受樋２５に落下し、穂切れ等の二番物は二番受樋２６に落下する。さらに、一番受樋２５に落下した一番物は、一番螺旋２８によって横送りされて揚穀筒９を介してグレンタンク８に排出される。また、二番受樋２６に落下した二番物は、二番螺旋２９によって横送りされて、図示しない二番還元筒に受け継がれ、還元筒内の螺旋でもみほぐして枝梗が除去され再度、揺動選別体２３上に還元される。なお、脱穀された後の排藁は、脱穀フイードチェン１４の終端から穂先搬送チェンと株元搬送チェンで構成する排藁搬送装置７に受け継がれて、ディスク型カッター１０に供給され、切藁として刈取り跡地に放出される。
【００２５】
次に、前述した扱胴１２の下方に設ける受け網１３の構造について説明する。図１及び図２に示すように、受け網１３は、扱口１６から見て手前側の前後の受け網１３ａ、１３ｂと奥側の前後の受け網１３ｃ、１３ｄの４枚と、手前側の後側の受け網１３ｂに連なり扱室３の図示しない後壁に固定した受け網１３ｅと、シリンダカバー１７内に固定した受け網１３ｆの計６枚で構成する。そして、固定して取り付けた受け網１３ｅ、１３ｆを除く４枚の受け網１３ａ、１３ｂ、１３ｃ、１３ｄは、取り外して容易に掃除をすることができるように、扱室３に着脱自在に取り付けてある。
【００２６】
すなわち、扱室３には、受け網１３ａ、１３ｂ、１３ｃ、１３ｄの端部を下方側から支持する奥側と中間の受体４８、４９と、扱口板５０の下端に沿う係止体５１が設けられ、各受け網１３ａ、１３ｂ、１３ｃ、１３ｄを受体４８、４９と係止体５１に載置した状態でシリンダカバー１７を閉じると、シリンダカバー１７に取り付けた受け網１３ｆの下端側のプレート５２が奥側の受け網１３ｃ、１３ｄの上端を押さえ、受け網１３ａ、１３ｂ、１３ｃ、１３ｄが扱室３に固定される。逆に、シリンダカバー１７を開くと固定が解除されて、受け網１３ａ、１３ｂ、１３ｃ、１３ｄを、単独に持ち上げて取り外すことができる。
【００２７】
また、前記着脱自在になした受け網１３ａ、１３ｂ、１３ｃ、１３ｄは、図３乃至図７に示すように、縦横に整列した多数の矩形状の漏下孔５３を打ち抜き加工、又はレーザー加工した多孔板５４を、円弧状に湾曲させて形成した打抜き網で構成している。また、扱胴１２の回転方向から見て、その上流側と下流側となる多孔板５４の端部５４ａ、５４ｂは、裏面側に折曲げられていると共に、多孔板５４の前後方向の中間寄りと後方寄りの表面には、扱胴１２の回転方向に沿う抵抗板５５、５６が溶接して固着してあり、これら抵抗板５５、５６は、多孔板５４上を、その前方から後方側に向けて送られる穀稈に抵抗を与えて解し作用を行う。さらに、多孔板５４の裏面には複数の補強板５７ａ〜５７ｄが、前・後と中間の二箇所に溶接して固着してあり、これらの抵抗板５５、５６及び補強板５７ａ〜５７ｄは、扱歯１１の回転軌跡から外れた漏下孔５３を塞がない位置に固着してある。
【００２８】
そして、前記多孔板５４には、扱胴１２の回転軸芯に向かうと共に、回転軸芯と平行する前後方向に所定の長さと厚さを有する多数の突起５８が着脱自在に取り付けられる。すなわち、突起５８は、母体となるプレート５９の長手方向の側縁に櫛状の凹凸を設けて、複数の突起５８を一連に形成したブロックから構成され、このブロックとされた一連の突起５８を、多孔板５４の裏面側から前後方向に整列する複数の漏下孔５３を通して表面側に突出させ、また、コ字状に折り曲げ形成したプレート５９の前後の取付部５９ａを、前後の補強板５７ａ〜５７ｄになべ小ねじ６０とフランジナット６１を用いて締着することにより、多孔板５４に突起５８を着脱自在に取り付けている。
【００２９】
なお、中間の補強板５７ｂ、５７ｃの両側にプレート５９、５９をそれぞれ取り付ける際には、図５に示すように補強板５７ｂ、５７ｃを挟んで、その両側にプレート５９、５９の取付部５９ａ、５９ａを１個の小ねじ６０とフランジナット６１を用いて締着し、また、扱胴１２の回転方向に隣合う２個のプレート５９、５９を取り付ける際に、図６（ａ）に示すように各別に取り付けるものより、図６（ｂ）に示すように２個のプレート５９、５９の取付部５９ａ、５９ａを前後方向に齟齬させて、取付部５９ａ、５９ａに穿設した孔５９ｂ、５９ｂに１個の小ねじ６０を通して補強板５７ａ〜５７ｄにフランジナット６１を用いて共締めすれば、ボルト及びナットの個数を減らすことができる。
【００３０】
また、突起５８は、図７（ａ）に示すように、扱胴１２回転方向下流側の漏下孔５３の終端部に接当するように位置決めされて、多孔板５４の表面に所定の突出量をもって取り付けられるが、図７（ｂ）に示すように、補強板５７ａ〜５７ｄに穿設するボルト挿入孔５７ｅを長孔として、プレート５９の取り付け位置を扱胴１２の回転軸芯に向けて遠近に変更することにより、突起５８の多孔板５４に対する突出量ｈを調節することができる。更に、突起５８はプレート５９の取付部５９ａに対して扱胴１２回転方向の下流側に位置させて取り付けているが、プレート５９を逆向きにして、突起５８がプレート５９の取付部５９ａに対して、扱胴１２の回転方向の上流側に位置するように取り付けてもよい。
【００３１】
さらに、突起５８は、図８に示すように漏下孔５３の扱胴１２回転方向の真ん中、即ち、略中央から突出するように取り付けて、漏下孔５３を突起５８によって左右に分断させてもよく、この場合、突起５８に遮られた穀粒は回転方向上流側の漏下孔５３から漏下し、また、突起５８に衝突した穂切れ等は突起５８に擦り付けられて脱粒して、回転方向上流側の漏下孔５３、又は回転方向下流側の漏下孔５３から漏下する。また、図９に示すように、各プレート５９に１個の突起５８を形成し、この突起５８を多孔板５４の前後方向に隣接する複数の漏下孔５３の内の一つから突出させて、扱胴１２の回転方向から見て突起５８を千鳥状に配設してもよい。
【００３２】
なお、着脱自在になした受け網１３ａ、１３ｂ、１３ｃ、１３ｄは、突起５８を取り付け、固定して取り付けた受け網１３ｅ、１３ｆは、あまり脱粒処理に関わらないため突起５８を取り付けていない。また、これらの受け網１３ｅ、１３ｆは、打抜き網でなくクリンプ網で構成してもよい。さらに、着脱自在になした受け網１３ａ、１３ｂ、１３ｃ、１３ｄに全て突起５８を取り付ける必要はなく、例えば、穂切れが持ち回られ易い後側の受け網１３ｂ、１３ｄのみに突起５８を取り付け、前側の受け網１３ａ、１３ｃからは突起５８を取り外すことにより、脱穀始端側で扱歯１１によって大半の脱粒処理が行われることに鑑みて、ここでは突起５８による脱粒処理を控えて、穀稈の搬送負荷を抑えるようにしてもよい。
【００３３】
そして、多孔板５４上に突出させる突起５８の数、配設位置、乃至は突出量等は、脱穀する穀物の種類、品種、脱穀する際の材料状態に合わせて種々、変更を加えることができ、また、突起５８を線状のバネ材で構成し、その両端或いは片側を受け網１３の裏面に取り付けると共に、漏下孔５３を通して多孔板５４上に作用部を突出させて取り付けてもよく、突起５８の形状等は適宜、変更することができ、本発明は、前記実施形態に限定されるものではない。
【符号の説明】
【００３４】
１    脱穀装置
１１  扱歯
１２  扱胴
１３  受け網
１６  扱口
５３  漏下孔
５４  多孔板
５７ａ〜５７ｄ  補強板
５８  突起
５９  プレート
【図１】
2015146752.tif 000003
【図２】
2015146752.tif 000004
【図３】
2015146752.tif 000005
【図４】
2015146752.tif 000006
【図５】
2015146752.tif 000007
【図６】
2015146752.tif 000008
【図７】
2015146752.tif 000009
【図８】
2015146752.tif 000010
【図９】
2015146752.tif 000011